(57)【要約】【課題】精神的な鎮静効果が認められる新たな成分を見出し、これを含有する精神鎮静用香料組成物を作出すること。【解決手段】酪酸テルピニル、γ−ノナラクトン、アセチルイソオイゲノール、アニス酸メチル、テルピネオール、ネロール、クリサンテノン、リラール、リリアール、β−フェニルエチルアルコール、γ−メチルイオノン、イソ・イー・スーパー、Ｚ−３−ヘキセニルサリシレート、ｐ−メチルフェニルアセトアルデヒド、リモネン、オシメン、ヘリオナール、リナリルアセテート、ゲラニルアセート、ゲラニオール、ヘディオン、リナロール、シトロネロール、および、γ−ヘキサラクトンに精神鎮静効果が認められることを見出し、これらの成分を含有する香料組成物を提供することにより、上記の課題を解決するに至った。【選択図】なし【特許請求の範囲】
【請求項１】
酪酸テルピニル、γ−ノナラクトン、アセチルイソオイゲノール、アニス酸メチル、テルピネオール、ネロール、クリサンテノン、リラール、リリアール、β−フェニルエチルアルコール、γ−メチルイオノン、イソ・イー・スーパー、Ｚ−３−ヘキセニルサリシレート、ｐ−メチルフェニルアセトアルデヒド、リモネン、オシメン、ヘリオナール、リナリルアセテート、ゲラニルアセート、ゲラニオール、ヘディオン、リナロール、シトロネロール、および、γ−ヘキサラクトンからなる群から選ばれる１種または２種以上の成分を含有する、精神鎮静用香料組成物。
【請求項２】
請求項１記載の精神鎮静用香料組成物を含有する外用組成物。
【請求項３】
外用組成物の製品形態が化粧料である、請求項２記載の外用組成物。
【請求項４】
請求項１記載の精神鎮静用香料組成物を含有する雑貨類。
【発明の詳細な説明】
【技術分野】
【０００１】  本発明は、特定の心理的な作用を有する香料組成物に関する発明であり、さらに、具体的には、精神を鎮静させる作用を有する、精神鎮静用香料組成物に関する発明である。
【背景技術】
【０００２】  様々なストレスにより、生理的または心理的に、様々な影響が認められることが明らかになっている。特に、ストレス社会ともいわれる現代社会においては、各種のストレスに対して、どのように対処するかということが、非常に重要な問題となっている。【０００３】  ストレスが人間に及ぼす精神的な悪影響を軽減する手段として、精神的な癒しの提供を挙げることができる。この癒しの代表的な態様として、様々なストレスにより苛立ちがちな精神を鎮静化することが挙げられる。【０００４】  精神の鎮静化手段として、近年、特に、アロマセラピーが注目されている。従来から、アロマセラピーにおいて、ラベンダー油やカモミル油等に、精神に対する鎮静効果があることが、伝承的に確認されており、これらは香りにより鎮静効果を発揮できるため、非常にマイルドに所望する鎮静効果を得ることができるという利点を有する。【０００５】  しかしながら、精神的な鎮静効果を発揮すべき天然香料の選択や調合は、アロマテラピーの熟練者の経験的な判断によるところが大きく、その効果も、必ずしも明確でない面も認められる。これは、アロマテラピーに用いられる精油等の天然香料が、多種多様な成分からなることに、大きく起因しているものと考えられる。【０００６】  そこで、例えば、特開平６−１７２７８１号公報においては、１，３−ジメトキシ−５−メチルベンゼンに鎮静効果があり、しかもこれを香料などに添加して気化吸引させることによっても効果が発現し、さらに、この化合物自体の香りが強くないため、各種の香料に、この化合物を添加して、精神的な鎮静効果を発揮させるべく用い得ることが報告されている。
【発明の概要】
【発明が解決しようとする課題】
【０００７】  しかしながら、実際に、精神的な鎮静効果を、多様な生活場面やアロマセラピーにおいて得るためには、多くの人の香りに対する嗜好や、生活場面に応じて併用する各種の香料との相性に応じて、容易に適切な処方を作成可能であることが必要である。そのためには、より多様な精神的な鎮静効果を発揮し得る物質を見出すことが必要となる。【０００８】  そこで、本発明が解決するべき課題は、精神的な鎮静効果が認められる新たな成分を見出し、これを含有する精神鎮静用香料組成物を作出することにある。
【課題を解決するための手段】
【０００９】  本発明者は、この課題を解決するために、数多くの成分について、精神鎮静効果に関する検討を行った。その結果、天然精油に含まれる成分のうち、酪酸テルピニル、γ−ノナラクトン、アセチルイソオイゲノール、アニス酸メチル、テルピネオール、ネロール、クリサンテノン、リラール、リリアール、β−フェニルエチルアルコール、γ−メチルイオノン、イソ・イー・スーパー、Ｚ−３−ヘキセニルサリシレート、ｐ−メチルフェニルアセトアルデヒド（別名シリンガアルデヒドともいう）、リモネン、オシメン、ヘリオナール、リナリルアセテート、ゲラニルアセート、ゲラニオール、ヘディオン（別名メチルジヒドロジャスモネートともいう）、リナロール、シトロネロール、および、γ−ヘキサラクトンに、精神的な鎮静効果（以下、精神鎮静効果ともいう）が認められることを見出し、精神鎮静用香料組成物に係わる本発明を完成した。【００１０】  すなわち、本発明は、酪酸テルピニル、γ−ノナラクトン、アセチルイソオイゲノール、アニス酸メチル、テルピネオール、ネロール、クリサンテノン、リラール、リリアール、β−フェニルエチルアルコール、γ−メチルイオノン、イソ・イー・スーパー、Ｚ−３−ヘキセニルサリシレート、ｐ−メチルフェニルアセトアルデヒド、リモネン、オシメン、ヘリオナール、リナリルアセテート、ゲラニルアセート、ゲラニオール、ヘディオン、リナロール、シトロネロール、および、γ−ヘキサラクトンからなる群から選ばれる１種または２種以上の成分を含有する、精神鎮静用香料組成物（以下、本精神鎮静用組成物ともいう）を提供する発明である。【００１１】  本発明において、精神鎮静用香料組成物とは、これを用いることにより、使用者を精神的に鎮静させ、リラックス感を与える効果を発揮する香料組成物を意味する。精神鎮静用香料組成物は、これを、化粧料等の外用組成物、部屋用の消臭剤やアロマキャンドル等の雑貨類、食品組成物等に含有させて、これらの製品に精神鎮静作用を付与することができる。精神鎮静効果とは、例えば、ヒトが日常生活で経験する、いらいら、興奮等の生理的心理状態から開放し、気分をゆったりさせる効果を意味するものであり、パネルを用いた官能テストや、精神的な鎮静感を検出可能な指標（例えば、ＣＮＶ測定等）により確認することが可能である。
【発明の効果】
【００１２】  本発明により、精神的な鎮静効果が認められる新たな成分が見出され、これを含有成分とする精神鎮静用香料組成物を含有する外用組成物および雑貨類が提供される。
【図面の簡単な説明】
【００１３】
【図１】本精神鎮静用組成物の含有成分についてのＣＮＶ測定結果を示す図面である。
【発明を実施するための形態】
【００１４】  以下、本発明の実施の形態を説明する。
本精神鎮静用組成物の含有成分である、酪酸テルピニル、すなわち、Ｔｅｒｐｉｎｙｌ  ｂｕｔｙｒａｔｅは、ローズマリー様バルサミック、フローラル香を有する香料として知られている。酪酸テルピニルは、常法により製造して、本発明において用いることが可能であり、市販品を用いることも可能である。
【００１５】  γ−ノナラクトン、すなわち、γ−Ｎｏｎａｌａｃｔｏｎは、クリーム様ココナッツ香を有する香料として知られている。γ−ノナラクトンは、例えば、ピーチ等の精油から、常法により単離精製して、本発明において用いることが可能であり、市販品を用いることも可能である。
【００１６】  アセチルイソオイゲノール（Ａｃｅｔｙｌ  ｉｓｏ  Ｅｕｇｅｎｏｌ）、すなわち、Ｍｅｔｈｏｘｙ−４−ａｃｅｔｏｘｙｐｒｏｐｅｎｙｌｂｅｎｚｅｎｅは、シソおよびバルサミック、カーネーション様の、甘いフローラルな香調を有する香料として知られている。アセチルイソオイゲノールは、常法により製造して、本発明において用いることが可能であり、市販品を用いることも可能である。
【００１７】  アニス酸メチル、すなわち、Ｍｅｔｈｙｌ  ａｎｉｓａｔｅは、ライラックやマグノリアを想起させる甘いハーバル、アニス香を有する香料として知られている。アニス酸メチルは、常法により製造して、本発明において用いることが可能であり、市販品を用いることも可能である。
【００１８】  テルピネオール、すなわち、Ｔｅｒｐｉｎｅｏｌは、ライラック様香気を有する香料として知られている。テルピネオールは、例えば、オレンジ等の精油から、常法により単離精製して、本発明において用いることが可能であり、市販品を用いることも可能である。
【００１９】  ネロール、すなわち、Ｎｅｒｏｌは、ゲラニオールに似た香気を有する香料として知られている。ネロールは、例えば、ネロリ等の精油から、常法により単離精製して、本発明において用いることが可能であり、市販品を用いることも可能である。
【００２０】  クリサンテノン、すなわち、Ｃｈｒｙｓａｎｔｈｅｎｏｎｅは、メタリックハーバルグリーン香を有する香料として知られている。クリサンテノンは、例えば、アルテミシア等の精油から、常法により単離精製して、本発明において用いることが可能であり、市販品を用いることも可能である。
【００２１】  リラール、すなわち、Ｌｙｒａｌは、スズラン様香気を有する香料として知られている。リラールは、常法により製造して、本発明において用いることが可能であり、市販品を用いることも可能である。
【００２２】  リリアール、すなわち、Ｌｉｌｉａｌは、スズラン様香気を有する香料として知られている。リリアールは、常法により製造して、本発明において用いることが可能であり、市販品を用いることも可能である。
【００２３】  β−フェニルエチルアルコール、すなわち、β−Ｐｈｅｎｙｌｅｔｈｙｌ  ａｌｃｏｈｏｌは、穏やかなローズ様香気を有する香料として知られている。β−フェニルエチルアルコールは、例えば、ローズ等の精油から、常法により単離精製して、本発明において用いることが可能であり、市販品として用いることも可能である。
【００２４】  γ−メチルイオノン、すなわち、γ−Ｍｅｔｈｙｌ  ｉｏｎｏｎｅは、穏やかなバイオレット様、オリス様香気を有する香料として知られている。γ−メチルイオノンは、常法により製造して、本発明において用いることが可能であり、市販品を用いることも可能である。
【００２５】  イソ・イー・スーパー、すなわち、Ｉｓｏ  Ｅ  Ｓｕｐｅｒは、ウッディ・アンバー様香気を有する香料として知られている。イソ・イー・スーパーは、常法により製造して、本発明において用いることが可能であり、市販品を用いることも可能である。
【００２６】  Ｚ−３−ヘキセニルサリシレート、すなわち、ｃｉｓ−３−Ｈｅｘｅｎｙｌ  ｓａｌｉｃｙｌａｔｅは、バルサミック・フローラル様香気を有する香料として知られている。Ｚ−３−ヘキセニルサリシレートは、常法により製造して、本発明において用いることが可能であり、市販品を用いることも可能である。
【００２７】  ｐ−メチルフェニルアセトアルデヒド、すなわち、ｐ−Ｍｅｔｈｙｌｐｈｅｎｙｌａｃｅｔａｌｄｅｈｙｄｅは、フルーティー、グリーン香を有する香料として知られている。ｐ−メチルフェニルアセトアルデヒドは、例えば、コーン等の精油から、常法により単離精製して、本発明において用いることが可能であり、市販品を用いることも可能である。
【００２８】  リモネン、すなわち、Ｌｉｍｏｎｅｎｅは、フレッシュなシトラス様香気を有する香料として知られている。リモネンは、例えば、オレンジ等の精油から、常法により単離精製して、本発明において用いることが可能であり、市販品を用いることも可能である。
【００２９】  オシメン、すなわち、Ｏｃｉｍｅｎｅは、アニス、シトラスライムを想起するグリーン、ウッデイ、ハーバル香気を有する香料として知られている。オシメンは、例えば、タイム等の精油から、常法により単離精製して、本発明において用いることが可能であり、市販品を用いることも可能である。
【００３０】  ヘリオナール、すなわち、Ｈｅｌｉｏｎａｌは、甘いヘリオトロープ、アニス様フローラル香気を有する香料として知られている。ヘリオナールは、常法により製造して、本発明において用いることが可能であり、市販品を用いることも可能である。
【００３１】  リナリルアセテート、すなわち、Ｌｉｎａｌｙｌ  ａｃｅｔａｔｅは、新鮮で甘いフルーティー・フローラル香気を有する香料として知られている。リナリルアセテートは、例えば、ラベンダー等の精油から、常法により単離精製して、本発明において用いることが可能であり、市販品を用いることも可能である。
【００３２】  ゲラニルアセテート、すなわち、Ｇｅｒａｎｙｌ  ａｃｅｔａｔｅは、甘いローズ様香気を有する香料として知られている。ゲラニルアセテートは、例えば、レモン等の精油から、常法により単離精製して、本発明において用いることが可能であり、市販品を用いることも可能である。
【００３３】  ゲラニオール、すなわち、Ｇｅｒａｎｉｏｌは、ローズ様香気を有する香料として知られている。ゲラニオールは、例えば、ゼラニウム等の精油から、常法により単離精製して、本発明において用いることが可能であり、市販品を用いることも可能である。
【００３４】  ヘディオン、すなわち、Ｈｅｄｉｏｎｅは、ジャスミン的フローラル香気を有する香料として知られている。ヘディオンは、例えば、ジャスミン等の精油から、常法により単離精製して、本発明において用いることが可能であり、市販品を用いることも可能である。
【００３５】  リナロール、すなわち、Ｌｉｎａｌｏｏｌは、スズラン様香気を有する香料として知られている。リナロールは、例えば、オレンジ等の精油から、常法により単離精製して、本発明において用いることが可能であり、市販品を用いることも可能である。
【００３６】  シトロネロール、すなわち、Ｃｉｔｒｏｎｅｌｌｏｌは、新鮮なバラ様香気を有する香料として知られている。シトロネロールは、例えば、ローズ等の精油から、常法により単離精製して、本発明において用いることが可能であり、市販品を用いることも可能である。
【００３７】  γ−ヘキサラクトン、すなわち、γ−Ｈｅｘａｌａｃｔｏｎｅは、温かいハーバル、タバコ、クマリン様香気を有する香料として知られている。γ−ヘキサラクトンは、アプリコット等の精油から、常法により単離精製して、本発明において用いることが可能であり、市販品を用いることも可能である。
【００３８】  本精神鎮静用組成物は、必須の含有成分である、酪酸テルピニル、γ−ノナラクトン、アセチルイソオイゲノール、アニス酸メチル、テルピネオール、ネロール、クリサンテノン、リラール、リリアール、β−フェニルエチルアルコール、γ−メチルイオノン、イソ・イー・スーパー、Ｚ−３−ヘキセニルサリシレート、ｐ−メチルフェニルアセトアルデヒド、リモネン、オシメン、ヘリオナール、リナリルアセテート、ゲラニルアセート、ゲラニオール、ヘディオン、リナロール、シトロネロール、および、γ−ヘキサラクトンからなる群から選ばれる１種または２種以上の成分そのものからなる香料組成物であってもよいし、香りの嗜好性を向上させる等のために、他の香料成分や精油等を、所望する精神鎮静効果が、ハーモナージュ効果やマスキング効果等で相殺されない限度内で、適宜、含有させてもよい。本精神鎮静用組成物は、主に、調合香料として用いることができる。また、本精神鎮静用組成物には、一般的に香料組成物において含有させることができる一般成分、例えば、抗酸化剤、防腐剤、キレート剤、紫外線吸収剤、色素等を含有させることもできる。
【００３９】  本精神鎮静用組成物は、主に、調合香料として、香料を含有させることが可能な対象物に含有させて、精神鎮静作用を発揮させることができる。
【００４０】  かかる対象物としては、化粧料等の外用組成物、部屋用の消臭剤や芳香剤やアロマキャンドル等の雑貨類、食品組成物等が挙げられるが、これらに限定されるものではない。
【００４１】  これらの対象物における、本精神鎮静用組成物の含有量は、精神鎮静効果が発揮され得る限度内で、対象物の種類や選択する香料の種類等に応じて自由に選択することが可能であり、通常は、調合香料の一般的な含有量に準じて選択することが可能である。一般的に、対象物に対して０．０１〜５０．０質量％であることが好適であり、同０．１〜２０．０質量％であることが特に好適であり、同１．０〜１０．０質量％であることが極めて好適である場合が多い。
【００４２】  本精神鎮静用組成物を対象物に含有させる場合、精神鎮静効果を有する含有成分（酪酸テルピニル、γ−ノナラクトン、アセチルイソオイゲノール、アニス酸メチル、テルピネオール、ネロール、クリサンテノン、リラール、リリアール、β−フェニルエチルアルコール、γ−メチルイオノン、イソ・イー・スーパー、Ｚ−３−ヘキセニルサリシレート、ｐ−メチルフェニルアセトアルデヒド、リモネン、オシメン、ヘリオナール、リナリルアセテート、ゲラニルアセート、ゲラニオール、ヘディオン、リナロール、シトロネロール、および、γ−ヘキサラクトンからなる群から選ばれる１種または２種以上）の総量は、対象物に対して０．００１〜５０．０質量％であることが、一般的に好適であり、同０．０１〜２０．０質量％であることが、嗜好性を考慮すると、特に好適であり、さらに、同１．０〜１０．０質量％であることが、極めて好適である場合が多い。かかる含有成分量が対象物に対して０．００１質量％未満であると、他の配合成分の影響を最小限にしても、十分な精神鎮静効果が発揮されない傾向があり、同５０．０質量％を超えて配合しても、精神鎮静効果を有する成分の含有量に見合った、精神鎮静効果の向上は認められなくなり、香気のバランスが一般的に好ましくない傾向が認められる。
【００４３】  本精神鎮静用組成物を含有させる対象物には、本精神鎮静用組成物以外に、対象物の種類に応じた一般的な構成要素が、本発明の所期の効果を失わない範囲内で用いられる。
【００４４】  例えば、対象物が、化粧料等の外用組成物である場合には、外用組成物の具体的な剤型（液剤、粉末剤、顆粒剤、エアゾル剤、固形剤、ジェル剤等）や製品形態に応じて、これらの外用組成物に含有される一般的な成分を、本精神鎮静用組成物の他に含有させることができる。
【００４５】  なお、外用組成物としての最も好適な態様の一つである化粧料としては、例えば、香水、オードトワレ、オーデコロン、クリーム・乳液類、化粧水、ファンデーション類、粉白粉、口紅、ポマード、石鹸、シャンプー・リンス類、ボディーシャンプー、ボディーリンス、ボディーパウダー類、浴剤等が、具体的な製品形態として例示される。
【００４６】  また、日用雑貨としては、部屋用の芳香剤や消臭剤、アロマキャンドル等が、具体的な製品形態として例示される。
【００４７】  なお、本発明は、本精神鎮静用組成物を吸引させることにより、精神を鎮静する精神鎮静方法を提供する発明でもある。
【００４８】  本精神鎮静用組成物を吸引させる対象は、通常は人間であるが、犬や猫等の哺乳動物であってもよい。また、吸引させる手段は、通常は、本精神鎮静用組成物を含有する対象物（外用組成物、雑貨類、食品組成物等）を介して行われる。すなわち、これらの対象物の通常の使用態様、または、指定された使用態様（例えば、化粧料等の外用組成物の外皮における使用、雑貨類であるアロマキャンドルの着火、芳香剤や消臭剤の部屋における設置や噴霧、食品組成物の飲食等）に従い、対象物に含有された本精神鎮静用組成物を、吸引対象が吸引し、本精神鎮静用組成物中の、精神鎮静成分により、吸引対象の精神が鎮静される。
【実施例】
【００４９】  以下、本発明を実施例を用いて、さらに具体的に説明する。なお、％で表した配合量は、配合対象に対する質量％である。【００５０】ＣＮＶ試験
随伴性陰性変動（ＣＮＶ：Ｃｏｎｔｉｎｇｅｎｔ  Ｎｅｇａｔｉｖｅ  Ｖａｒｉａｔｉｏｎ）と呼ばれる、陰性の電位の変化を測定することにより、精神鎮静効果の検討を行った。ＣＮＶは、注意、期待、予期等の心理過程、また、意識レベルの変動と連動する、脳の緩徐な電位変動として知られている。【００５１】  精神鎮静効果を有する試料を検索するために、警告刺激音から２秒後に運動の開始を意味する光信号が続き、光を認識すると同時に、ボタン押しの運動反応を行うことを、パネルに要求する試験を行う。この一連の繰り返しの中で、試料は、パネルの鼻先（約１０ｃｍ先）に載置されており、呼吸に伴い、パネルは試料の香りを認知することができるようになっている。ＣＮＶ測定のための電極は、パネルの前頭部に装着され、耳たぶとの間の電位記録が測定される。なお、ヒトに、覚醒効果を示すカフェインを内服させると、ＣＮＶの振幅が増大し、鎮静効果を示すニトロゼパムを吸引させると、ＣＮＶの振幅が減少することが報告されている。【００５２】  ＣＮＶの振幅の変動は、音刺激後、４００〜１０００ｍｓｅｃの初期成分に顕著に現れる。よって、この区間のＣＮＶの振幅の変動面積を、ブランク（無臭刺激の場合）を１００％として比較した百分率（％）で表し、これを精神鎮静効果についての指標とした。面積変動が１００％以下の場合は、鎮静効果が、１００％以上の場合は、覚醒効果が認められることを示している。【００５３】試験例
試料として、酪酸テルピニル、γ−ノナラクトン、アセチルイソオイゲノール、アニス酸メチル、テルピネオール、ネロール、クリサンテノン、リラール、リリアール、β−フェニルエチルアルコール、γ−メチルイオノン、イソ・イー・スーパー、Ｚ−３−ヘキセニルサリシレート、ｐ−メチルフェニルアセトアルデヒド、リモネン、オシメン、ヘリオナール、リナリルアセテート、ゲラニルアセート、ゲラニオール、ヘディオン、リナロール、シトロネロール、および、γ−ヘキサラクトン（各々、市販品を用いた）の１％エタノール溶液と、特開平６−１７２７８１号公報等において、鎮静効果が報告されている３−ジメトキシ−５−メチルベンゼン（以下、ＤＭＭＢともいう）と、精神高揚効果が、伝承的に認められているレモンオイル（各々、市販品を用いた）の１％エタノール溶液を調製し、パネルを健康な５名の成人女性として、上記の要領で、ＣＮＶ試験を行った。【００５４】  その結果を、第１図に示す。第１図により、酪酸テルピニル、γ−ノナラクトン、アセチルイソオイゲノール、アニス酸メチル、テルピネオール、ネロール、クリサンテノン、リラール、リリアール、β−フェニルエチルアルコール、γ−メチルイオノン、イソ・イー・スーパー、Ｚ−３−ヘキセニルサリシレート、ｐ−メチルフェニルアセトアルデヒド、リモネン、オシメン、ヘリオナール、リナリルアセテート、ゲラニルアセート、ゲラニオール、ヘディオン、リナロール、シトロネロール、および、γ−ヘキサラクトンには、ＤＭＭＢと同様に、精神鎮静効果が認められることが明らかになった（レモンオイルにおいては精神高揚効果が確認された）。【００５５】  以下に、本精神鎮静用組成物の具体的な処方例を実施例として以下に示す。実施例１〜９の本精神鎮静用組成物は、上記のＣＮＶ試験により、精神鎮静効果が、認められた。【００５６】  〔実施例１〕  精神鎮静用香料組成物
配合成分 配合量（質量部）
γ−Ｎｏｎａｌａｃｔｏｎｅ                                            ０．２
Ｍｅｔｈｙｌ  ａｎｉｓａｔｅ                                          ２．０
ｐ−Ｍｅｔｈｙｌｐｈｅｎｙｌａｃｅｔａｌｄｅｈｙｄｅ                  ２．０
Ｏｃｉｍｅｎｅ（１％）                                                ０．５
γ−Ｈｅｘａｌａｃｔｏｎｅ                                            １．０
Ｂｅｒｇａｍｏｔ  ｏｉｌ                                            １０．０
Ｍｅｔｈｙｌ  ｄｉｈｙｄｒｏ  ｊａｓｍｏｎａｔｅ（Ｈｅｄｉｏｎｅ）  ２０．０
Ｌｉｎａｌｏｏｌ                                                    ２８．０
Ｏｒａｎｇｅ  ｏｉｌ                                                  １．０
Ｌｉｎａｌｏｏｌ  ｏｘｉｄｅ                                          ５．０
Ｐｈｅｎｙｌｅｔｈｙｌ  ａｌｃｏｈｏｌ                                ５．０
Ｂｅｎｚｙｌ  ａｌｃｏｈｏｌ                                          １．０
Ｂｅｎｚａｌｄｅｈｙｄｅ                                              １．０
Ｉｎｄｏｌ（１０％）                                                  ０．５
Ａｂｓ．Ｃａｓｓｉｓ                                                  ２．０
Ｎｅｒｏｌ                                                            ２．０
Ａｂｓ．Ｊａｓｍｉｎ                                                  １．０
Ｉｓｏ  Ｅ  Ｓｕｐｅｒ                                                ５．０
Ｇａｌａｘｏｌｉｄｅ（５０％）                                      １０．０
Ｂａｃｄａｎｏｌ                                                      １．０
Ａｎｉｓ  ａｌｃｏｈｏｌ                                              １．０
ＤＰＧ                                                                ０．８【００５７】  〔実施例２〕  精神鎮静用香料組成物
配合成分 配合量（質量部）
Ｔｅｒｐｉｎｙｌ  ｂｕｔｙｌａｔｅ                                    １．０
γ−Ｎｏｎａｌａｃｔｏｎｅ                                            ０．１
Ｏｃｉｍｅｎ（１％）                                                  ０．５
Ｍｅｔｈｙｌ  ｄｉｈｙｄｒｏ  ｊａｓｍｏｎａｔｅ（Ｈｅｄｉｏｎｅ）  ２０．０
Ｖｅｒｔｏｆｉｘ  ｃｏｅｕｒ                                        １５．０
Ｐｏｌｙｓａｎｔｏｌ                                                １０．０
Ｇａｌａｘｏｌｉｄｅ（５０％）                                      １０．０
Ｂｅｒｇａｍｏｔ  ｏｉｌ                                              ９．０
Ｏｒａｎｇｅ  ｏｉｌ                                                  ４．０
Ｅｔｈｙｌｌｉｎａｌｏｏｌ                                            ３．０
Ｌｉｌｉａｌ                                                          ２．０
Ｂａｃｄａｎｏｌ                                                      １．０
Ｌｉｎａｌｏｏｌ                                                      １．０
Ｃｏｕｍａｒｉｎ                                                      １．０
Ａｍｂｒｏｘａｎｅ                                                    １．０
Ｃｉｔｒｏｎｅｌｌｏｌ                                                １．０
β−Ｐｈｅｎｙｌｅｔｈｙｌ  ａｌｃｏｈｏｌ                            １．０
Ｃａｌｏｎｅ（１％）                                                  １．０
Ｐｉｎｅ  ｏｉｌ                                                      １．０
Ｂｅｎｚｙｌ  ａｃｅｔａｔｅ                                          ０．５
Ｓｔｅｍｏｎｅ                                                        ０．５
Ｔｅｒｐｉｎｅｏｌ                                                    ２．０
Ｄａｍａｓｃｏｎｅ  ａｌｐｈａ（１０％）                              ０．３
Ａｌｌｙｌａｍｙｌ  ｇｌｙｃｏｌａｔｅ                                ０．２
Ｅｖｅｒｎｙｌ                                                        ０．２
Ｔｒｉｐｌａｌ                                                        ０．２
ＤＰＧ                                                              １３．５【００５８】  〔実施例３〕  精神鎮静用香料組成物
配合成分 配合量（質量部）
Ｔｅｒｐｉｎｙｌ  ｂｕｔｙｌａｔｅ                                    １．０
γ−Ｎｏｎａｌａｃｔｏｎｅ                                            ０．２
Ｍｅｔｈｙｌ  ａｎｉｓａｔｅ                                          １．０
Ｃｈｒｙｓａｎｔｅｎｏｎｅ                                            ０．５
ｐ−Ｍｅｔｈｙｌｐｈｅｎｙｌａｃｅｔａｌｄｅｈｙｄｅ                  ２．０
Ｈｅｘａｌａｃｔｏｎｅ  ｇａｎｎｍａ                                  １．０
Ｍｅｔｈｙｌ  ｄｉｈｙｄｒｏ  ｊａｓｕｍｏｎａｔｅ（Ｈｅｄｉｏｎ）  １５．０
Ｌｙｒａｌ                                                          １３．０
Ｉｓｏ  Ｅ  ｓｕｐｅｒ                                              １２．０
Ｇａｌａｘｏｌｉｄｅ（５０％）                                      １０．０
Ｏｒａｎｇｅ  ｏｉｌ                                                  ５．０
Ｌｉｎａｌｏｏｌ                                                    １５．０
γ−Ｍｅｔｈｙｌ  ｉｏｎｏｎｅ                                        ５．０
Ｌｉｍｏｎｅｎｅ                                                    １０．０
ｃｉｓ−３−Ｈｅｘｅｎｙｌ  ｓａｌｉｃｙｌａｔｅ                      ２．０
β−Ｎａｐｈｔｈｙｌｍｅｔｈｙｌ  ｅｔｈｅｒ                          １．０
Ｓａｎｔａｌｅｘ                                                      １．０
Ｍａｎｄａｒｉｎｅ  ｏｉｌ                                            １．０
Ｒｏｓｅ  ｏｉｌ                                                      ０．５
Ｌａｕｒｅｌ  ｌｅａｆ  ｏｉｌ                                        ０．５
ｌｙｌａｍｙｌ  ｇｌｙｃｏｌａｔｅ                                    ０．３
Ｄａｍａｃｅｎｏｎｅ                                                  ０．２
ＤＰＧ                                                                ２．８【００５９】  〔実施例４〕  精神鎮静用香料組成物
配合成分 配合量（質量部）
Ｔｅｒｐｉｎｙｌ  ｂｕｔｙｌａｔｅ                                    １．０
γ−Ｎｏｎａｌａｃｔｏｎｅ                                            ０．２
Ｍｅｔｈｙｌ  ａｎｉｓａｔｅ                                          １．０
ｐ−Ｍｅｔｈｙｌｐｈｅｎｙｌａｃｅｔａｌｄｅｈｙｄｅ                  ２．０
γ−Ｈｅｘａｌａｃｔｏｎｅ                                            ０．５
β−Ｐｈｅｎｙｌｅｔｈｙｌ  ａｌｃｏｈｏｌ                          １０．０
Ｌｉｍｏｎｅｎｅ                                                    １０．０
Ｍｅｔｈｙｌ  ｄｉｈｙｄｒｏ  ｊａｓｍｏｎａｔｅ（Ｈｅｄｉｏｎｅ）  １０．０
Ｌｙｒａｌ                                                          １０．０
β−Ｉｏｎｏｎｅ                                                      ７．０
Ｇｅｒａｎｙｌ  ａｃｅｔａｔｅ                                        １．０
Ｃｉｔｒｏｎｅｌｌｏｌ                                                ７．０
Ｇｅｒａｎｉｏｌ                                                      ２．０
Ｂｅｒｇａｍｏｔ  ｏｉｌ                                              ５．０
Ｌｉｎａｌｏｏｌ                                                      ５．０
Ｈｅｘｙｌ  ｓａｌｉｃｙｌａｔｅ                                      ５．０
Ｇａｌａｘｏｌｉｄｅ（５０％）                                        ５．０
ｃｉｓ−３−Ｈｅｘｅｎｙｌ  ｓａｌｉｃｙｌａｔｅ                      ５．０
Ｂｅｎｚｙｌ  ａｃｅｔａｔｅ                                          ５．０
Ｌｉｍｅ  ｏｉｌ                                                      ３．０
Ｍａｎｄａｒｉｎ  ｏｉｌ                                              ２．０
Ｒｏｓｅ  ｏｉｌ                                                      ２．０
Ａｂｓ．Ｊａｓｍｉｎ                                                  ０．５
ｃｉｓ−３−Ｈｅｘｅｎｏｌ                                            ０．２
ＤＰＧ                                                                ０．６【００６０】  〔実施例５〕  精神鎮静用香料組成物
配合成分 配合量（質量部）
Ａｃｅｔｙｌ  ｉｓｏ  Ｅｕｇｅｎｏｌ                                  ２．０
Ｂａｃｄａｎｏｌ                                                      ２．５
Ｂｅｒｇａｍｏｔ  ｏｉｌ                                              ５．０
Ｇｒａｐｅｆｒｕｉｔ  ｏｉｌ                                          ４．０
Ｌｉｎａｌｏｏｌ                                                      ３．０
Ｌｉｎａｌｙｌ  ａｃｅｔａｔｅ                                        ３．０
Ｃｅｄｒａｍｂｅｒ                                                    １．５
Ｃｏｕｍａｒｉｎ                                                      １．０
Ｍｅｔｈｙｌ  ｄｉｈｙｄｒｏ  ｊａｓｍｏｎａｔｅ（Ｈｅｄｉｏｎｅ）  ３０．０
Ａｍｂｒｏｘａｎｅ                                                    ０．５
Ｃａｒｄａｍｏｎ  ｏｉｌ                                              ０．５
Ｇｅｒａｎｉｕｍ  ｏｉｌ                                              ０．５
Ｌｉｍｏｎｅｎｅ                                                      ３．０
Ａｌｌｙｌ  ａｍｙｌ  ｇｌｙｃｏｌａｔｅ                              ０．１
Ｈｅｌｉｏｎａｌ                                                      １．０
Ｄａｍａｓｃｅｎｏｎｅ（１０％）                                      ０．２
Ｃａｓｓｉｓ  ｂａｓｅ  ３４５Ｂ                                      １．０
Ｂｅｎｚｙｌ  ａｃｅｔａｔｅ                                          １．０
Ｉｓｏ  Ｅ  ｓｕｐｅｒ                                              ２０．０
Ｈａｂａｎｏｌｉｄｅ                                                  ８．０
Ｍｕｓｋ  Ｔ                                                          ５．０
Ｅｔｈｙｌ  ｌｉｎａｌｏｏｌ                                          ５．０
Ｌａｖａｎｄｉｎ  ｏｉｌ                                              ２．０
ＤＰＧ                                                                ０．２【００６１】  〔実施例６〕  精神鎮静用香料組成物
配合成分 配合量（質量部）
Ａｃｅｔｙｌ  ｉｓｏ  Ｅｕｇｅｎｏｌ                                  １．０
Ｍｅｔｈｙｌ  ｄｉｈｙｄｒｏ  ｊａｓｍｏｎａｔｅ（Ｈｅｄｉｏｎｅ）  ２０．０
Ｉｓｏ  Ｅ  ｓｕｐｅｒ                                              １５．０
Ｂｅｒｇａｍｏｔ  ｏｉｌ                                            １０．０
ＤＰＧ                                                                ５．２
Ｌｉｎａｌｙｌ  ａｃｅｔａｔｅ                                        ５．０
Ｈａｂａｎｏｌｉｄｅ                                                  ５．０
Ｄｉｈｙｄｒｏ  ｍｙｒｃｅｎｏｌ                                      ５．０
Ｖｅｒｔｏｆｉｘ  ｃｏｅｕｒ                                          ５．０
Ｂａｃａｄａｎｏｌ                                                    ３．０
Ｌｉｎａｌｏｏｌ                                                      ３．０
Ｍｕｓｋ  Ｔ                                                          ３．０
Ｌａｖａｎｄｉｎ  ｏｉｌ                                              ３．０
Ｌｙｒａｌ                                                            ３．０
Ｃｏｕｍａｒｉｎ                                                      ２．０
Ｌｉｍｏｎｅｎｅ                                                      ２．０
Ｐａｔｃｈｏｕｌｉ  ｏｉｌ                                            ２．０
Ｃｉｔｒｏｎｅｌｌｏｌ                                                ２．０
β−Ｐｈｅｎｙｌｅｔｈｙｌ  ａｌｃｏｈｏｌ                            ２．０
Ｖｅｔｉｖｅｒ  ｏｉｌ                                                １．０
Ａｍｂｒｏｘａｎｅ                                                    ０．５
Ｄａｍａｓｃｅｎｏｎｅ（１０％）                                      ０．５
Ｂｅｎｚｙｌ  ａｃｅｔａｔｅ                                          ０．５
Ｅｖｅｒｎｙｌ                                                        ０．５
Ｅｕｇｅｎｏｌ                                                        ０．２
Ｊａｓｍｉｎ  ｏｉｌ                                                  ０．２
Ｖａｎｉｌｌｉｎ                                                      ０．１
Ｃｉｎａｍｏｎ  ｂａｒｋ  ｏｉｌ                                      ０．１
Ｇａｌｂａｎｕｍ  ｏｉｌ                                              ０．１
Ａｌｌｙｌｃｙｃｌｏｈｅｘｙｌ  ｐｒｏｐｉｏｎａｔｅ                  ０．１【００６２】  〔実施例７〕  精神鎮静用香料組成物
配合成分 配合量（質量部）
Ａｃｅｔｙｌ  ｉｓｏ  Ｅｕｇｅｎｏｌ                                  ５．０
Ｍｅｔｈｙｌ  ｄｉｈｙｄｒｏ  ｊａｓｍｏｎａｔｅ（Ｈｅｄｉｏｎｅ）  １５．０
Ｌｙｒａｌ                                                          １３．０
Ｉｓｏ  Ｅ  ｓｕｐｅｒ                                              １２．０
Ｇａｌａｘｏｌｉｄｅ（５０％）                                      １０．０
Ｏｒａｎｇｅ  ｏｉｌ                                                  ５．０
Ｌｉｎａｌｏｏｌ                                                    ２０．０
γ−Ｍｅｔｈｙｌ  ｉｏｎｏｎｅ                                        ５．０
Ｌｉｍｏｎｅｎｅ                                                      ５．０
ｃｉｓ−３−Ｈｅｘｅｎｙｌ  ｓａｌｉｃｙｌａｔｅ                      ２．０
β−Ｎａｐｈｔｈｙｌｍｅｔｈｙｌ  ｅｔｈｅｒ                          １．０
Ｓａｎｔａｌｅｘ                                                      １．０
Ｍａｎｄａｒｉｎｅ  ｏｉｌ                                            １．０
Ｒｏｓｅ  ｏｉｌ                                                      ０．５
Ｌａｕｒｅｌ  ｌｅａｆ  ｏｉｌ                                        ０．５
Ａｌｌｙｌａｍｙｌ  ｇｌｙｃｏｌａｔｅ                                ０．３
Ｄａｍａｓｃｅｎｏｎｅ（１０％）                                      ０．２
ＤＰＧ                                                                ３．５【００６３】  〔実施例８〕  精神鎮静用香料組成物
配合成分 配合量（質量部）
Ａｃｅｔｙｌ  ｉｓｏ  Ｅｕｇｅｎｏｌ                                  ２．０
β−Ｐｈｅｎｙｌｅｔｈｙｌ  ａｌｃｏｈｏｌ                          １２．０
Ｌｉｍｏｎｅｎｅ                                                    １０．０
Ｍｅｔｈｙｌ  ｄｉｈｙｄｒｏ  ｊａｓｍｏｎａｔｅ（Ｈｅｄｉｏｎｅ）  １０．０
Ｌｙｒａｌ                                                          １０．０
β−Ｉｏｎｏｎｅ                                                      ７．０
Ｃｉｔｒｏｎｅｌｌｏｌ                                                ７．０
Ｇｅｒａｎｉｏｌ                                                      ３．０
Ｂｅｒｇａｍｏｔ  ｏｉｌ                                              ５．０
Ｌｉｎａｌｏｏｌ                                                      ５．０
ｃｉｓ−３−Ｈｅｘｅｎｙｌ  ｓａｌｉｃｙｌａｔｅ                      ５．０
Ｂｅｎｚｙｌ  ａｃｅｔａｔｅ                                          ５．０
Ｌｉｍｅ  ｏｉｌ                                                      ３．０
Ｍａｎｄａｒｉｎｅ  ｏｉｌ                                            ２．０
Ｒｏｓｅ  ｏｉｌ                                                      ２．０
Ａｂｓ．Ｊａｓｍｉｎ                                                  ０．５
ｃｉｓ−３−Ｈｅｘｅｎｏｌ                                            ０．２
ＤＰＧ                                                                １．３【００６４】  〔実施例９〕  精神鎮静用香料組成物
配合成分 配合量（質量部）
Ｌｉｍｏｎｅｎｅ                                                      ８．０
Ｌｉｎａｌｏｏｌ                                                    １０．０
Ｌｉｎａｌｙｌ  ａｃｅｔａｔｅ                                        ５．０
Ｂｅｒｇａｍｏｔ  ｏｉｌ                                              ５．０
Ｌｉｆｆａｒｏｍｅ                                                  ０．０５
Ｂｅｎｚｙｌ  ａｃｅｔａｔｅ                                          ５．０
β−Ｐｈｅｎｙｌｅｔｈｙｌ  ａｌｃｏｈｏｌ                            ８．０
Ｌｉｌｉａｌ                                                          ５．０
Ｌｙｒａｌ                                                            ３．０
β−ｉｏｎｏｎｅ                                                      ０．５
Ｍｅｔｈｙｌ  ｄｉｈｙｄｒｏ  ｊａｓｍｏｎａｔｅ（Ｈｅｄｉｏｎｅ）  １５．０
α−Ｈｅｘｙｌ  ｃｉｎｎａｍｉｃ  ａｌｄｒｈｙｄｅ                  １０．０
ｐ−Ｍｅｔｈｙｌｐｈｅｎｙｌａｃｅｔａｌｄｅｈｙｄｅ                  ２．０
Ｈｅｌｉｏｎａｌ                                                      ０．５
Ａｌｄｅｈｙｄｅ  Ｃ−１４                                            ０．１
Ｉｓｏ  Ｅ  Ｓｕｐｅｒ                                                ５．０
Ｇａｌａｘｏｌｉｄｅ（５０％）                                      １０．０
Ｅｔｈｙｌｅｎｅ  ｂｒａｓｓｙｌａｔｅ                                ３．０
Ｂｅｎｚｙｌ  ｂｅｎｚｏｎａｔｅ                                    ４．８５【００６５】  以下に、本精神鎮静用組成物を含有する外用組成物または雑貨類の典型的な製品形態の処方例を実施例として以下に示す。これらの実施例の外用組成物または雑貨類は、それぞれの製品形態の典型的な使用態様における官能テストにより、精神鎮静効果が認められた。【００６６】  〔実施例１０〕  浴剤
配合成分 配合量（質量部）
炭酸水素ナトリウム                                                ７０．０
無水硫酸ナトリウム                                                ２８．８
実施例３の精神鎮静用香料組成物                                      １．０
色素Ｙ−２０２−１                                                  ０．２
＜製法＞
精神鎮静用香料組成物を除いた成分を、Ｖ型ミキサーにて均一になるまで攪拌した後、前記組成物を加え、さらに均一になるまで充分に攪拌して、浴剤を得た。【００６７】  〔実施例１１〕  ゲル芳香剤
配合成分 配合量（質量部）
カラギーナン                                                        ３．０
プロピレングリコール                                                ２．０
プロピルパラベン                                                    ０．３
実施例３の精神鎮静用香料組成物                                      ５．０
イオン交換水                                                      ８９．７
＜製法＞
カラギーナン、プロピレングリコール及びプロピルパラベンを混合して攪拌しながらイオン交換水を加え、これを穏やかに攪拌しながら約８０℃になるまで加熱した。その後、約６５℃とし、これをホモジナイザーを用いて３０００ｒｐｍで攪拌しながら精神鎮静用香料組成物を加えて均一な相とした後、所定の容器に流し込み、自然冷却して、ゲル芳香剤を得た。【００６８】  〔実施例１２〕  リキッドタイプ芳香剤
配合成分 配合量（質量部）
９５％エタノール                                                  ２５．０
界面活性剤                                                          ５．０
実施例３の精神鎮静用香料組成物                                      ３．０
イオン交換水                                                      ６７．０
＜製法＞
イオン交換水を除く各成分を混合し、穏やかに攪拌しながらイオン交換水を加え、均一にして、リキッドタイプ芳香剤を得た。なお、界面活性剤としてポリオキシエチレンノニルフェニルエーテルＥＯ−１３を用いた。【００６９】  〔実施例１３〕  リキッドタイプ消臭剤
配合成分 配合量（質量部）
消臭原液ＦＳ−５００Ｍ（白井松新薬株式会社製）                      ５．０
９５％エタノール                                                  １０．０
界面活性剤                                                        １０．０
実施例２の精神鎮静用香料組成物                                    １０．０
イオン交換水                                                      ６５．０
＜製法＞
イオン交換水以外の各成分を混合し、穏やかに攪拌しながらイオン交換水を加えて、消臭剤（リキッドタイプ）を得た。なお、界面活性剤としてポリオキシエチレンノニルフェニルエーテルＥＯ−１０を用いた。【００７０】  〔実施例１４〕  エアゾールタイプ消臭剤
配合成分 配合量（質量部）
消臭原液ＦＳ−５００Ｍ                                              ５．０
９５％エタノール                                                  ２０．０
実施例２の精神鎮静用香料組成物                                    １０．０
イオン交換水                                                      ４０．０
液化石油ガス（４Ｋｇ／ｃｍ２・２０℃）                            ２５．０
＜製法＞
液化石油ガス以外の成分を混合、攪拌して均一とし、所定の量をエアゾール容器に入れてバルブを取り付けた後、液化石油ガスを注入して消臭剤（エアゾールタイプ）を得た。【００７１】  〔実施例１５〕  浴剤
配合成分 配合量（質量部）
炭酸水素ナトリウム                                                ７０．０
無水硫酸ナトリウム                                                ２８．８
実施例７の精神鎮静用香料組成物                                      １．０
色素Ｙ−２０２−１                                                  ０．２
＜製法＞
精神鎮静用香料組成物を除いた成分を、Ｖ型ミキサーにて均一になるまで攪拌した後、前記香料組成物を加え、さらに均一になるまで充分に攪拌して、浴剤を得た。【００７２】  〔実施例１６〕  ゲル芳香剤
配合成分 配合量（質量部）
カラギーナン                                                        ３．０
プロピレングリコール                                                ２．０
プロピルパラベン                                                    ０．３
実施例７の精神鎮静用香料組成物                                      ５．０
イオン交換水                                                      ８９．７
＜製法＞
カラギーナン、プロピレングリコール及びプロピルパラベンを混合して攪拌しながらイオン交換水を加え、これを穏やかに攪拌しながら約８０℃になるまで加熱した。その後、約６５℃とし、これをホモジナイザーを用いて３０００ｒｐｍで攪拌しながら精神鎮静用香料組成物を加えて均一な相とした後、所定の容器に流し込み、自然冷却して、ゲル芳香剤を得た。【００７３】  〔実施例１７〕  リキッドタイプ芳香剤
配合成分 配合量（質量部）
９５％エタノール                                                  ２５．０
界面活性剤                                                          ５．０
実施例７の精神鎮静用香料組成物                                      ３．０
イオン交換水                                                      ６７．０
＜製法＞
イオン交換水を除く各成分を混合し、穏やかに攪拌しながらイオン交換水を加え、均一にして、リキッドタイプ芳香剤を得た。なお、界面活性剤としてポリオキシエチレンノニルフェニルエーテルＥＯ−１３を用いた。【００７４】  〔実施例１８〕  リキッドタイプ消臭剤
配合成分 配合量（質量部）
消臭原液ＦＳ−５００Ｍ（白井松新薬株式会社製）                      ５．０
９５％エタノール                                                  １０．０
界面活性剤                                                        １０．０
アセチルイソオイゲノール                                          １０．０
イオン交換水                                                      ６５．０
＜製法＞
イオン交換水以外の各成分を混合し、穏やかに攪拌しながらイオン交換水を加えて、消臭剤（リキッドタイプ）を得た。なお、界面活性剤としてポリオキシエチレンノニルフェニルエーテルＥＯ−１０を用いた。【００７５】  〔実施例１９〕  エアゾールタイプ消臭剤
配合成分 配合量（質量部）
消臭原液ＦＳ−５００Ｍ                                              ５．０
９５％エタノール                                                  ２０．０
アセチルイソオイゲノール                                          １０．０
イオン交換水                                                      ４０．０
液化石油ガス（４Ｋｇ／ｃｍ２・２０℃）                            ２５．０
＜製法＞
液化石油ガス以外の成分を混合、攪拌して均一とし、所定の量をエアゾール容器に入れてバルブを取り付けた後、液化石油ガスを注入して消臭剤（エアゾールタイプ）を得た。【００７６】  〔実施例２０〕  クリーム
配合成分 配合量（質量％）
ステアリン酸                                                      １０．０
ステアリルアルコール                                                ４．０
ステアリン酸ブチル                                                  ８．０
ステアリン酸モノグリセリンエステル                                  ２．０
ビタミンＥアセテート                                                ０．５
ビタミンＡパルミテート                                              ０．１
マカデミアナッツ油                                                  １．０
茶実油                                                              ３．０
グリセリン                                                          ４．０
１，２−ペンタンジオール                                            ３．０
ヒアルロン酸ナトリウム                                              １．０
水酸化カリウム                                                      ２．０
アスコルビン酸リン酸マグネシウム                                    ０．１
Ｌ−アルギニン塩酸塩                                                ０．０１
エデト酸三ナトリウム                                                ０．０５
実施例９の精神鎮静用香料組成物                                      ０．４
防腐剤                                                              適  量
精製水                                                              残  余
＜製法＞
常法によりクリームを得た。【００７７】  〔実施例２１〕  クリーム
配合成分 配合量（質量％）
セタノール                                                          ４．０
ワセリン                                                            ７．０
イソプロピルミリステート                                            ８．０
スクワラン                                                        １５．０
ステアリン酸モノグリセリンエステル                                  ２．２
ＰＯＥ（２０）ソルビタンモノステアレート                            ２．８
ビタミンＥニコチネート                                              ２．０
グリセリン                                                        １０．０
ヒアルロン酸ナトリウム                                              ０．０２
ジプロピレングリコール                                              ４．０
ピロリドンカルボン酸ナトリウム                                      １．０
実施例９の精神鎮静用香料組成物                                      ０．３
エデト酸二ナトリウム                                                ０．０１
酸化防止剤                                                          適  量
防腐剤                                                              適  量
精製水                                                              残  余
＜製法＞
常法によりクリームを得た。【００７８】  〔実施例２２〕  乳液
配合成分 配合量（質量％）
スクワラン                                                          ５．０
オレイルオレート                                                    ３．０
ワセリン                                                            ２．０
ソルビタンセスキオレイン酸エステル                                  ０．８
ＰＯＥ（２０）オレイルエーテル                                      １．２
月見草油                                                            ０．５
１，３−ブチレングリコール                                          ４．５
エタノール                                                          ３．０
カルボキシビニルポリマー                                            ０．２
水酸化カリウム                                                      ０．１
Ｌ−アルギニンＬ−アスパラギン酸塩                                  ０．０１
エデト酸塩                                                          ０．０５
実施例８の精神鎮静用香料組成物                                      ０．３
防腐剤                                                              適  量
精製水                                                              残  余
＜製法＞
常法により乳液を得た。【００７９】  〔実施例２３〕  化粧水
配合成分 配合量（質量％）
セタノール                                                          ３．５
ＰＯＥオレイルアルコールエーテル                                    ２．０
２−エチルヘキシル−ｐ−ジメチルアミノベンゾエート                  ０．１８
１，３−ブチレングリコール                                          ９．５
ピロリドンカルボン酸ナトリウム                                      ０．５
ニコチン酸アミド                                                    ０．３
グリセリン                                                          ５．０
シリンガアルデヒド                                                  ０．０５
（ｐ−メチルフェニルアセトアルデヒド）
精製水                                                              残  余
＜製法＞
常法により化粧水を得た。【００８０】  〔実施例２４〕  化粧水
配合成分 配合量（質量％）
セタノール                                                          ３．５
ＰＯＥオレイルアルコールエーテル                                    ２．０
２−エチルヘキシル−ｐ−ジメチルアミノベンゾエート                  ０．１８
１，３−ブチレングリコール                                          ９．５
ピロリドンカルボン酸ナトリウム                                      ０．５
ニコチン酸アミド                                                    ０．３
グリセリン                                                          ５．０
実施例５の精神鎮静用香料組成物                                      ０．０５
精製水                                                              残  余
＜製法＞
常法により化粧水を得た。
【図１】
2010065234.tif 000002
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
精神鎮静用香料組成物を製造するための、酪酸テルピニル、γ−ノナラクトン、アセチルイソオイゲノール、アニス酸メチル、テルピネオール、クリサンテノン、リラール、リリアール、γ−メチルイオノン、イソ・イー・スーパー、Ｚ−３−ヘキセニルサリシレート、ｐ−メチルフェニルアセトアルデヒド、オシメン、ヘリオナール、リナリルアセテート、ゲラニルアセート、ヘディオン、シトロネロール、および、γ−ヘキサラクトンからなる群から選ばれる１種または２種以上の成分、の使用。
【請求項２】
精神鎮静用香料組成物は、外用組成物に含有される香料組成物である、請求項１に記載の使用。
【請求項３】
外用組成物の製品形態は化粧料である、請求項２に記載の使用。
【請求項４】
精神鎮静用香料組成物は、雑貨類に含有される香料組成物である、請求項１に記載の使用。
【請求項５】
香料組成物に、酪酸テルピニル、γ−ノナラクトン、アセチルイソオイゲノール、アニス酸メチル、テルピネオール、クリサンテノン、リラール、リリアール、γ−メチルイオノン、イソ・イー・スーパー、Ｚ−３−ヘキセニルサリシレート、ｐ−メチルフェニルアセトアルデヒド、オシメン、ヘリオナール、リナリルアセテート、ゲラニルアセート、ヘディオン、シトロネロール、および、γ−ヘキサラクトンからなる群から選ばれる１種または２種以上の成分、を配合することによる、当該香料組成物における精神鎮静効果の付与方法。
【請求項６】
香料組成物は、外用組成物に含有される香料組成物である、請求項５に記載の付与方法。
【請求項７】
外用組成物の製品形態は化粧料である、請求項６に記載の付与方法。
【請求項８】
香料組成物は、雑貨類に含有される香料組成物である、請求項５に記載の付与方法。
【手続補正３】
【補正対象書類名】明細書
【補正対象項目名】０００１
【補正方法】変更
【補正の内容】
【０００１】
本発明は、特定の心理的な作用を有する香料組成物に関する発明であり、さらに、具体的には、精神を鎮静させる作用を有する、精神鎮静用香料組成物を製造するための香料成分の使用、及び、香料組成物における精神鎮静効果の付与方法、に関する発明である。
【手続補正４】
【補正対象書類名】明細書
【補正対象項目名】０００４
【補正方法】変更
【補正の内容】
【０００４】
精神の鎮静化手段として、近年、特に、アロマテラピーが注目されている。従来から、アロマテラピーにおいて、ラベンダー油やカモミル油等に、精神に対する鎮静効果があることが、伝承的に確認されており、これらは香りにより鎮静効果を発揮できるため、非常にマイルドに所望する鎮静効果を得ることができるという利点を有する。
【手続補正５】
【補正対象書類名】明細書
【補正対象項目名】０００７
【補正方法】変更
【補正の内容】
【０００７】
しかしながら、実際に、精神的な鎮静効果を、多様な生活場面やアロマテラピーにおいて得るためには、多くの人の香りに対する嗜好や、生活場面に応じて併用する各種の香料との相性に応じて、容易に適切な処方を作成可能であることが必要である。そのためには、より多様な精神的な鎮静効果を発揮し得る物質を見出すことが必要となる。
【手続補正６】
【補正対象書類名】明細書
【補正対象項目名】０００９
【補正方法】変更
【補正の内容】
【０００９】
本発明者は、この課題を解決するために、数多くの成分について、精神鎮静効果に関する検討を行った。その結果、天然精油に含まれる成分のうち、酪酸テルピニル、γ−ノナラクトン、アセチルイソオイゲノール、アニス酸メチル、テルピネオール、クリサンテノン、リラール、リリアール、γ−メチルイオノン、イソ・イー・スーパー、Ｚ−３−ヘキセニルサリシレート、ｐ−メチルフェニルアセトアルデヒド（別名シリンガアルデヒドともいう）、オシメン、ヘリオナール、リナリルアセテート、ゲラニルアセート、ヘディオン、シトロネロール、および、γ−ヘキサラクトンに、精神的な鎮静効果（以下、精神鎮静効果ともいう）が認められることを見出し、精神鎮静用香料組成物に係わる本発明を完成した。
【手続補正７】
【補正対象書類名】明細書
【補正対象項目名】００１０
【補正方法】変更
【補正の内容】
【００１０】
すなわち、本発明は、精神鎮静用香料組成物を製造するための、酪酸テルピニル、γ−ノナラクトン、アセチルイソオイゲノール、アニス酸メチル、テルピネオール、クリサンテノン、リラール、リリアール、γ−メチルイオノン、イソ・イー・スーパー、Ｚ−３−ヘキセニルサリシレート、ｐ−メチルフェニルアセトアルデヒド、オシメン、ヘリオナール、リナリルアセテート、ゲラニルアセート、ヘディオン、シトロネロール、および、γ−ヘキサラクトンからなる群から選ばれる１種または２種以上の成分の使用、を提供する発明である。
さらに、本発明は、香料組成物に、酪酸テルピニル、γ−ノナラクトン、アセチルイソオイゲノール、アニス酸メチル、テルピネオール、クリサンテノン、リラール、リリアール、γ−メチルイオノン、イソ・イー・スーパー、Ｚ−３−ヘキセニルサリシレート、ｐ−メチルフェニルアセトアルデヒド、オシメン、ヘリオナール、リナリルアセテート、ゲラニルアセート、ヘディオン、シトロネロール、および、γ−ヘキサラクトンからなる群から選ばれる１種または２種以上の成分、を配合することによる、当該香料組成物における精神鎮静効果の付与方法、を提供する発明でもある。
【手続補正８】
【補正対象書類名】明細書
【補正対象項目名】００１２
【補正方法】変更
【補正の内容】
【００１２】
本発明により、精神的な鎮静効果が認められる新たな成分が見出され、これを基にして精神鎮静用香料組成物、及び、当該香料組成物を含有する外用組成物および雑貨類が提供される。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００４２
【補正方法】変更
【補正の内容】
【００４２】
本精神鎮静用組成物を対象物に含有させる場合、精神鎮静効果を有する含有成分（酪酸テルピニル、γ−ノナラクトン、アセチルイソオイゲノール、アニス酸メチル、テルピネオール、クリサンテノン、リラール、リリアール、γ−メチルイオノン、イソ・イー・スーパー、Ｚ−３−ヘキセニルサリシレート、ｐ−メチルフェニルアセトアルデヒド、オシメン、ヘリオナール、リナリルアセテート、ゲラニルアセート、ヘディオン、シトロネロール、および、γ−ヘキサラクトンからなる群から選ばれる１種または２種以上）の総量は、対象物に対して０．００１〜５０．０質量％であることが、一般的に好適であり、同０．０１〜２０．０質量％であることが、嗜好性を考慮すると、特に好適であり、さらに、同１．０〜１０．０質量％であることが、極めて好適である場合が多い。かかる含有成分量が対象物に対して０．００１質量％未満であると、他の配合成分の影響を最小限にしても、十分な精神鎮静効果が発揮されない傾向があり、同５０．０質量％を超えて配合しても、精神鎮静効果を有する成分の含有量に見合った、精神鎮静効果の向上は認められなくなり、香気のバランスが一般的に好ましくない傾向が認められる。